(57)【要約】【課題】  誰もが容易に着火することのできる木炭構造物を提供する。【解決手段】  木炭１１を燃焼熱により粘着力または接着力が弱まる粘着テープ、接着剤等２により固定することで空気の通り道１ｃを構成する木炭構造物１を形成する。木炭構造物１の下部、吸気口１ａの近くに配置された着火剤３に点火すると、燃焼により空気の通り道１ｃに上昇気流が発生し、燃焼ガスが木炭構造物１の上部にある排気口１ｂから排出されると同時に、吸気口１ａから空気が供給される。これにより、着火剤３および木炭１１の燃焼が促進され、容易に木炭１１に着火することができる。木炭１１に着火された後は、粘着テープ、接着剤等２の粘着力または接着力は弱まっているので、木炭構造物１を崩して木炭１１を平らに並べることでバーベキュー等の調理に用いることができる。【選択図】図５
2018178068.tif 000002
【特許請求の範囲】
【請求項１】
相互に固定された複数の木炭により構成され、木炭の燃焼に必要となる空気の吸入と、燃焼ガスの排出を行う少なくとも１通りの空気の通り道を構成する構造物であって、
前記固定には木炭または着火剤等あるいはその両方の燃焼熱や火炎により、接着力または粘着力が弱まるか、あるいは、無くなることにより、あるいは、自身が燃焼、蒸発、昇華または溶融することにより木炭が分離可能となる方法を使用していることを特徴とする木炭構造物。
【請求項２】
前記空気の通り道の中に着火剤を入れた請求項１に記載の木炭構造物。
【請求項３】
前記空気の通り道の中に着火剤および木炭構造物に使用されている木炭と比較して着火性に優れた木炭を入れた請求項１に記載の木炭構造物。
【発明の詳細な説明】
【発明の詳細な説明】
【技術分野】
【０００１】  本発明は燃料用木炭に関するものである。より詳しくは、複数の木炭を固定することにより着火を容易にした木炭構造物に関するものである。
【技術背景】
【０００２】  燃料用木炭は古くは調理用、暖房用として一般家庭でも使用されていたが、都市ガスや電磁調理器等が普及した現在では、一般家庭で使用される機会ほとんどなくなった。一方で、近年では屋外でバーベキューを楽しむ文化が広く一般に根付き、そのような場面では現在でも燃料用木炭が使用されている。
【０００３】  しかし、木炭は着火性が悪く、ライターで炙った程度では着火できない。そのため、バーベキュー場では火おこしに悪戦苦闘する姿がしばしば見受けられる。燃料用木炭には、この着火性の悪さを克服し、容易に着火できることが求められている。
【０００４】  木炭への着火を容易にするものとして、底に穴の開いた手桶状の器具が知られている（特許文献１）。また、折畳むことで収納性に配慮した同様の器具もチャーコールスターターの名称で市販されている。これらの器具は木炭を入れて下から火を当てることにより、誰でも容易に木炭に着火できる。その一方で、器具自体の手入れと保管という別の手間がかかってしまうという課題がある。
また、特許文献２では可燃性の枠体に破砕した木炭を詰めた木炭パッケージが開示されている。しかし、枠体が燃え尽きてしまうと着火具より生じた火炎を効率的に木炭に当てることが難しくなるため、着火までに長い時間を要する白炭やオガ炭等には適さない。
【先行技術文献】
【特許文献】
【０００５】
【特許文献１】特開平８−３５６６１
【特許文献２】特開２００３−１３０７９
【発明の概要】
【発明が解決しようとする課題】
【０００６】  本発明は、上記従来技術の課題について、これを解消しようとするものである。即ち、本発明は、特別な器具を使用することなく、誰もが容易に着火することのできる燃料用木炭を提供することを目的とする。
【課題を解決するための手段】
【０００７】  本発明の発明者は、鋭意研究した結果、複数の木炭を相互に固定し、木炭の燃焼に必要な空気の吸入と燃焼ガスの排出を行う少なくとも１通りの空気の通り道を構成する構造物であって、
前記固定には木炭または着火剤等あるいはその両方の燃焼熱や火炎により、接着力または粘着力が弱まるか、あるいは、無くなることにより、あるいは、自身が燃焼、蒸発、昇華または溶融することにより木炭が分離可能となる方法を使用していることを特徴とする木炭構造物とすることで、上記課題を解決できることを見出した。【０００８】  即ち、本発明は次の（１）〜（３）に存する。
（１）相互に固定された複数の木炭により構成され、木炭の燃焼に必要となる空気の吸入と、燃焼ガスの排出を行う少なくとも１通りの空気の通り道を構成する構造物であって、
前記固定には木炭または着火剤等あるいはその両方の燃焼熱や火炎により、接着力または粘着力が弱まるか、あるいは、無くなることにより、あるいは、自身が燃焼、蒸発、昇華または溶融することにより木炭が分離可能となる方法を使用していることを特徴とする木炭構造物。
（２）前記空気の通り道の中に着火剤を入れた上記（１）に記載の木炭構造物。
（３）前記空気の通り道の中に着火剤および木炭構造物に使用されている木炭と比較して着火性に優れた木炭を入れた上記（１）に記載の木炭構造物。
【発明の効果】
【０００９】  本発明によれば、特別な器具を使用することなく、誰もが容易に着火することのできる燃料用木炭を提供することができる。
【図面の簡単な説明】
【００１０】
【図１】実施例１に係る木炭構造物のキャビネット図である。
【図２】実施例１に係る木炭構造物の水平方向に沿ってみた断面図である。
【図３】実施例２に係る木炭構造物のキャビネット図である。
【図４】実施例３に係る木炭構造物のキャビネット図である。
【図５】実施例３に係る木炭構造物の水平方向に沿ってみた断面図である。
【図６】実施例４に係る木炭構造物の水平方向に沿ってみた断面図である。
【発明を実施するための形態】
【００１１】  以下、本発明の実施形態について添付図面を参照して説明する。
なお、添付図面は、本発明の実施形態を例示するためのものであり、本発明を図示された実施形態に限定するものではない。
【００１２】  〔木炭構造物１〕
実施形態に係る木炭構造物１は、図１に示すように、複数の木炭１１により構成される。図１の例では木炭１１を長手方向が水平に向くように積み重ねているが、図２の例のように木炭１１の長手方向が鉛直に向くようにして木炭構造物１を構成してもよい。さらに言えば、後に詳述する吸気口１ａおよび排気口１ｂからなる空気の通り道１ｃが形成されていれば、木炭構造物１を構成する木炭１１の長手方向を、あるものは水平方向に、またあるものは鉛直方向に向けてもよい。また、水平方向あるいは鉛直方向から傾けた木炭１１によって木炭構造物１を構成してもよい。
【００１３】  図１〜６では木炭構造物１の外形を四角柱で示しているが、これは外形を四角柱に限定するものではなく、外形は多角柱、円柱、多角錐、円錐、多角錐台、円錐台等、あるいはさらに複雑な形状であってもよい。
【００１４】  木炭構造物１の大きさについては、主たる使用目的として想定しているバーベキュー用の燃料との観点から水平方向の大きさは１００ｍｍ四方〜６００ｍｍ四方、高さは１００ｍｍ〜６００ｍｍが好ましい。
【００１５】  〔木炭１１〕
木炭１１の材質は、木炭であれば特に制限はない。白炭、黒炭、成形木炭等を使用することができ、木炭構造物１を製作する際の工作性の観点から成形木炭が好ましい。
１つの木炭構造物中に複数の種類の木炭を組み合わせて使用してもよい。
また、着火剤を塗布する等し、ライター等で容易に着火できるようにした木炭も好適である。木炭構造物１を構成する木炭１１の全部、あるいは一部に使用することで、別途、着火剤等を用意することなく、着火が行える。
【００１６】  図１〜６では木炭１１を直方体で図示しているが、これは木炭１１の形状を直方体に限定するものではなく、種々の形状の木炭を使用することができる。
【００１７】〔空気の通り道１ｃ〕
木炭構造物１には四方を木炭１１に囲まれた少なくとも１通りの空気の通り道１ｃが備えられている必要がある。後に詳述するように、木炭１１の固定に粘着テープやパテ等２１が使用されている場合には、空気の通り道１ｃに直接接するのは木炭１１ではなく、木炭１１の固定使用した粘着テープやパテ等２１となる場合がある。そのような場合には、空気の通り道１ｃは四方を直接木炭１１に接している必要はなく、一部または全部が前述の粘着テープやパテ等２１を介して木炭１１に囲まれていてもよい。
また、図５に示すように、木炭構造物１が耐火レンガ等の通気性のない設置面６に置かれて使用される場合においては、耐火レンガ等の通気性のない設置面６が空気の通り道１ｃの１面を担ってもよい。
【００１８】  木炭構造物１の上部には空気の通り道１ｃで発生した燃焼ガスを排出するための、空気の通り道１ｃと繋がる排気口１ｂが設けられている。また、木炭構造物１の下部には空気の通り道１ｃに空気を供給するための、空気の通り道１ｃに繋がる吸気口１ａが設けられている。なお、本書において、上部とは木炭構造物１の高さの二分の一以上の位置、下部とは木炭構造物１の高さの二分の一未満の位置という意味でそれぞれ使用している。
【００１９】  図１、３および４では空気の通り道１ｃの鉛直方向に沿って見た断面形状を四角形で示しているが、これは断面形状を四角形に限定するものではなく、断面形状は多角形、円等、あるいはさらに複雑な形状であってもよい。
また、一つの断面形状で統一されている必要はなく、例えば、下部の断面形状は四角形であるが、上部の断面形状は三角形である、というように場所によって断面形状および断面積が異なっていてもよい。
【００２０】  図１〜６では空気の通り道１ｃを１本で示しているが、これは空気の通り道１ｃを１本に限定するものではなく、１つの木炭構造物１の中に複数の互いに独立した空気の通り道１ｃがあってもよい。また、１つの空気の通り道１ｃが複数の空気の通り道１ｃに枝分かれする構造となっていたり、さらに、枝分かれした空気の通り道１ｃが再び合流する構造になっていたりしてもよい。
【００２１】  〔吸気口１ａ〕
吸気口１ａは木炭構造物１の下部にあり、空気の通り道１ｃと繋がっている。図２に吸気口１ａの最も基本的な構造を示す。図２の例では、吸気口１ａは木炭構造物１の底面に設けられている。バーベキューコンロは通常、炭置場が金属製の格子や穴の開いた金属板でできており、空気を通す構造になっている。したがって、バーベキューコンロ炭置場等の通気性のある設置面５に置いて使用される場合には、木炭構造物１の底面に吸気口１ａを設けることで、空気の通り道１ｃに空気を供給することが可能である。
ただし、耐火レンガ等の通気性のない設置面６に木炭構造物１を置いて使用する場合には、木炭構造物１の底面から吸気を行うことができない。その場合には図４および５に示すように、木炭構造物１の側面に吸気口１ａを設ける必要がある。なお、側面に設けられた吸気口１ａの１辺は耐火レンガ等の通気性のない設置面６に接している必要はなく、図６に示すように、木炭１１に四方を囲まれた配置であってもよい。
なお、耐火レンガ等の通気性のない設置面６に置いて使用される木炭構造物１は必ずその側面に吸気口１ａを備える必要がある。一方で、バーベキューコンロ炭置場等の通気性のある設置面５に置いて使用される木炭構造物１については、吸気口１ａの位置は木炭構造物１の底面だけに限定するものではなく、木炭構造物１の側面にあってもよい。さらに言えば、木炭構造物１の底面と側面の両方に吸気口１ａを備えていてもよい。
【００２２】  図４および６に示すように、吸気口１ａの数は１つの空気の通り道１ｃに対して複数あってもよい。
吸気口１ａの大きさは、木炭構造物１の大きさにより異なるものの、木炭構造物１に備えられた全ての吸気口１ａを合わせた面積は９００〜６０００００平方ミリメートルが好ましい。
【００２３】  図２および４〜６では、吸気口１ａの形状を四角形で示しているが、これは吸気口１ａの形状を四角形に限定するものではなく、吸気口１ａの形状は多角形、円等、あるいはさらに複雑な形状であってもよい。
【００２４】  〔排気口１ｂ〕
排気口１ｂは木炭構造物１の上部にあり、空気の通り道１ｃと繋がっている。図２に排気口１ｂの最も基本的な構造を示す。図２の例では、排気口１ｂは木炭構造物１の上面に設けられている。これにより空気の通り道１ｃで生じた燃焼ガスを燃焼により生じた上昇気流により排気することができる。
ただし、排気口１ｂの位置は木炭構造物１の上面に限定するものではなく、図４および５に示すように、木炭構造物１の側面に配置してもよい。さらに言えば、木炭構造物１の上面と側面の両方に排気口１ｂを備えていてもよい。
【００２５】  図４および５に示すように、排気口１ｂの数は１つの空気の通り道１ｃに対して複数あってもよい。なお、図４および５に示す排気口は木炭構造物１の側面に位置しているが、これは複数の排気口１ｂを備える場合に、排気口１ｂの位置を木炭構造物１の側面に限定するものではなく、木炭構造物１の上面に複数の排気口１ｂがあってもよいし、また、木炭構造物１の上面と側面の両方に複数の排気口１ｂがあってもよい。
排気口１ｂの大きさは、木炭構造物１の大きさにより異なるものの、木炭構造物１に備えられた全ての排気口１ｂを合わせた面積は９００〜６０００００平方ミリメートルが好ましい。
【００２６】  図１〜６では、排気口１ｂの形状を四角形で示しているが、これは排気口１ｂの形状を四角形に限定するものではなく、排気口１ｂの形状は多角形、円等、あるいはさらに複雑な形状であってもよい。
【００２７】  〔粘着テープ、接着剤等２〕
図４〜６の例では木炭１１の固定に粘着テープ、接着剤等２を使用している。互いに隣接する木炭１１同士の界面に粘着テープ、接着剤等２を介在させることにより木炭１１を相互に固定し、木炭構造物１を形成する。
本書で言う粘着テープ、接着剤等とは、木炭１１同士の界面に介在することで木炭１１を相互に固定するもの全般を意味している。両面に粘着層を有したテープ、接着剤、のり、粘着性を有した樹脂やゴム、いわゆるホットボンドといわれる熱可塑性樹脂等がその一例である。
なお、粘着テープ、接着剤等２は木炭１１、後に詳述する粘着テープ、パテ等２１、ひも等２２または着火剤３のいずれか、あるいは複数の燃焼熱や火炎により接着力または粘着力が弱まるか、あるいは、無くなることにより、または、粘着テープ、接着剤等２が燃焼、蒸発、昇華または溶融することで、固定されていた木炭１１が分離可能になることを特徴とする。
粘着テープ、接着剤等２は上述の性質を満たしていればどんなものでもよいが、一例をあげるとすれば、でんぷんのりが好適である。でんぷんのりは、着火前は十分な接着力を有し木炭１１を固定できる一方、熱により変性を起こし接着力が弱まるため、着火後は木炭１１を容易に分離することが可能となる。
【００２８】  木炭１１を固定する方法には、粘着テープ、接着剤等２を使用する方法、後に詳述する粘着テープ、パテ等２１を使用する方法、同じく後に詳述するひも等２２を使用する方法がある。図１〜６の例ではいずれか１つのみを用いて木炭１１を固定している。ただし、これは１つの木炭構造物１を形成するにあたっていずれか１つの方法のみを使用しなければならないというように限定するものではなく、複数の方法を併用してもよい。また、場所によって使い分けてもよい。
さらに、粘着テープ、接着剤等２についても、１つの木炭構造物１を形成するにあたって複数の種類が使用されていてもよい。例えば、粘着テープと接着剤を併用して木炭１１を固定してもよいし、場所によって粘着テープと接着剤を使い分けてもよい。
【００２９】  〔粘着テープ、パテ等２１〕
図１および２の例では木炭１１の固定に粘着テープ、パテ等２１を使用している。互いに隣接する木炭１１同士の界面を除く表面に粘着テープ、パテ等２１を付着させることにより、粘着テープ、パテ等を介して木炭１１を相互に固定し、木炭構造物１を形成する。
図１および２の例では空気の通り道１ｃに接する面にのみ粘着テープ、パテ等２１が付着しているが、これは粘着テープ、パテ等２１を付着させる面を空気の通り道１ｃに限定するものではなく、木炭構造物１の外面に付着させてもよい。
粘着テープ、パテ等２１の一例として、少なくとも片面に粘着層を有したテープ、樹脂製のパテ、粘着性を有した樹脂やゴム、粒状物や粉末を混ぜた接着剤、のり等がある。
なお、粘着テープ、パテ等２１は木炭１１、粘着テープ、接着剤等２、後に詳述するひも等２２または着火剤３のいずれか、あるいは複数の燃焼熱や火炎により接着力または粘着力が弱まるか、あるいは、無くなることにより、または、粘着テープ、パテ等２１が燃焼、蒸発、昇華または溶融することで、固定されていた木炭１１が分離可能になることを特徴とする。
粘着テープ、パテ等２１は上述の性質を満たしていればどんなものでもよいが、一例をあげるとすれば、粒状または粉状にした木や木炭を混ぜ込んだ接着剤が燃焼時の火力が得られ、木炭１１の着火を促すことから好適である。
【００３０】  粘着テープ、接着剤等２の説明でも述べたように、１つの木炭構造物１を形成するにあたって、木炭１１の固定には、粘着テープ、接着剤等２、粘着テープ、パテ等２１、後に詳述するひも等２２の方法のうち、いずれか１つを用いるだけでなく、複数の方法を併用したり、場所により使い分けたりしてもよい。
また、粘着テープ、パテ等についても、１つの木炭構造物１を形成するにあたって複数の種類が使用されていてもよい。例えば、粘着テープと樹脂パテを併用して木炭１１を固定してもよいし、場所によって粘着テープと樹脂パテを使い分けてもよい。
【００３１】  〔ひも等２２〕
図３の例では木炭１１の固定にひも等２２を使用している。互いに隣接する木炭１１双方にひも等２２を巻きつけることにより木炭１１を相互に固定し、木炭構造物１を形成する。
また、木炭１１同士を直接固定する方法のほかに、木や紙等で骨組みを作り、その骨組みと木炭１１にひも等２２を巻きつけることにより、骨組みを介して木炭１１を相互に固定してもよい。
ひも等２２の一例として、ひも、糸、ロープ、紙や樹脂のフィルム、ベルト、片面あるいは両面に粘着層を有した粘着テープ等が使用できる。
なお、ひも等２２は木炭１１、粘着テープ、接着剤等２、粘着テープ、パテ等２１または後に詳述する着火剤３のいずれか、あるいは複数の燃焼熱や火炎によりひも等２２の全部または一部が燃焼、蒸発、昇華または溶融することで、固定されていた木炭１１が分離可能になることを特徴とする。
ひも等２２は上述の性質を満たしていればどんなものでもよい。例えば、針金や金属製ワイヤーのように不燃性のひも状の材料と麻ひものように可燃性の材料を組み合わせて使用し、麻ひもの部分が燃焼することにより木炭１１が分離可能となるような構造にしてもよい。
【００３２】  粘着テープ、接着剤等２の説明でも述べたように、１つの木炭構造物１を形成するにあたって、木炭１１の固定には、粘着テープ、接着剤等２、粘着テープ、パテ等２１、ひも等２２の方法のうち、いずれか１つを用いるだけでなく、複数の方法を併用したり、場所により使い分けたりしてもよい。
また、ひも等についても、１つの木炭構造物１を形成するにあたって複数の種類が使用されていてもよい。例えば、麻ひもを巻きつけて木炭１１を固定した上から、さらに樹脂フィルムを巻くことで補強してもよいし、場所によって麻ひもと樹脂フィルムを使い分けてもよい。
【００３３】  〔着火剤３〕
着火剤３は図４〜６に示すように、空気の通り道１ｃに設置される。着火剤３は接着剤、粘着テープ、ひも等により木炭構造物１に固定されるか、着火剤３が木炭構造物１に引っ掛かるようにするか、あるいは、はまるようにして容易に脱落しない構造とするか、吸気口１ａおよび排気口１ｂの一部または全部を可燃性の紙や樹脂フィルム等で塞ぐことで、着火剤３が脱落しないようにすることで、木炭構造物１と一体化される。
着火剤３の位置は空気の通り道１ｃの中であればどこでもよいが、着火剤３に着火する際の作業性と、着火剤３の燃焼による熱と火炎を木炭１１に効率的にあてることを考慮すると、吸気口１ａの近傍に設置することが好ましい。
【００３４】  着火剤３の材質としては、一般的に木炭用の着火剤として使用されているものが使用できる。例として、木、紙、粒状あるいは粉状の木や木炭を成形したもの、ゲル状の燃料をパック詰めしたもの、アルコール等の有機物を固形化したもの等が使用できるほか、木炭に着火剤を塗布する等して、ライター等により容易に着火できるようにしたものも好適である。
【００３５】  〔木炭１１と比較して着火性に優れる木炭４〕
木炭１１と比較して着火性に優れる木炭４は図６に示すように、空気の通り道１ｃに設置される。木炭１１と比較して着火性に優れる木炭４は接着剤、粘着テープ、ひも等により木炭構造物１に固定されるか、木炭１１と比較して着火性に優れる木炭４が木炭構造物１に引っ掛かるようにするか、あるいは、はまるようにして容易に脱落しない構造とするか、吸気口１ａおよび排気口１ｂの一部または全部を可燃性の紙や樹脂フィルム等で塞ぐことで、木炭１１と比較して着火性に優れる木炭４が脱落しないようにすることで、木炭構造物１と一体化される。
木炭１１と比較して着火性に優れる木炭４の位置は空気の通り道１ｃの中であればどこでもよい。
【００３６】  木炭１１と比較して着火性に優れる木炭４の材質は、木炭１１と比較した場合に着火性が良好であれば、白炭、黒炭、成形木炭等の様々な木炭が使用できる。なお、木炭１１として着火性の異なる複数種類の木炭が使用されている場合には、木炭１１と比較して着火性に優れる木炭４はそれらのうち最も着火性が悪い木炭と比べて、着火性に優れていればよく、木炭１１として使用されている木炭と同じあるいは、それよりも着火性が悪くてもよい。例えば、木炭１１として着火性の悪いオガ炭と着火性の良い成形木炭と着火性が前二者の中間程度の黒炭３種類が使用されている木炭構造物１の場合には、木炭１１と比較して着火性に優れる木炭４はオガ炭と比べて着火性に優れた木炭であればよく、木炭１１として使用されている黒炭または成形木炭と同じものを使用してもよい。
また、木炭１１と比較して着火性に優れていれば、木炭１１と同種の木炭であっても木炭１１と比較して着火性に優れる木炭４として使用できる。このような例として、消し炭がある。一度着火した木炭を窒息させることで消火したものを消し炭と言う。この消し炭はまだ一度も着火していない同種の木炭と比べて着火性に優れる。すなわち、木炭構造物１を構成している木炭１１と同種の木炭の消し炭は木炭１１と比較して着火性に優れる木炭４として用いることができる。このほかの例として、木炭１１に使用されているのと同種の木炭に着火剤を塗布する等して着火性を改善したものを木炭１１と比較して着火性に優れる木炭４として使用する場合が考えられる。
【実施例１】
【００３７】  以下、図１および２に基づいて本発明の実施例１を説明するが、本発明は以下の実施例に限定されない。
木炭構造物１は木炭１１を粘着テープ、パテ等２１で固定することで形成されている。木炭構造物１はその底面と上面にそれぞれ吸気口１ａと排気口１ｂを有しており、吸気口１ａと排気口１ｂは空気の通り道１ｃでつながっている。木炭構造物１はバーベキューコンロ炭置場等の通気性のある設置面５に置かれている。【００３８】  粘着テープ、パテ等２１が木や木炭を粒状あるいは粉状にしたものを接着剤と混ぜたような、それ自体が燃焼する材料の場合には、粘着テープ、パテ等２１に点火することで木炭１１に着火を行うことができる。
粘着テープ、パテ等２１の燃焼により生じた燃焼ガスと暖められた空気は、周りの空気と比べて密度が小さいため、空気の通り道１ｃに上昇気流が発生する。これにより、燃焼ガスは排気口１ｂから排気され、同時に吸気口１ａから空気が取り込まれる。
粘着テープ、パテ等２１の燃焼熱と火炎、さらに、発生した上昇気流による空気の供給により木炭１１も燃焼を開始する。
木炭構造物１の大きさや、木炭１１の種類により異なるものの、粘着テープ、パテ等２１は５分以上継続して燃焼する性能を有するものが好ましい。また、こちらも木炭構造物１の大きさや、木炭１１の種類により異なるが、粘着テープ、パテ等２１に点火してから５〜４０分で木炭１１に着火され、木炭１１が単独で継続して燃焼する状態となる。【００３９】  木炭１１が継続して燃焼する状態となり、さらに粘着テープ、パテ等２１が燃えて無くなってしまった後、分離可能となった木炭１１を平らに並べることで調理に用いることが可能となる。
【実施例２】
【００４０】  以下、図３に基づいて本発明の実施例２を説明するが、本発明は以下の実施例に限定されない。
木炭構造物１は木炭１１をひも等２２で固定することで形成されている。木炭構造物１はその底面と上面にそれぞれ吸気口１ａと排気口１ｂを有しており、吸気口１ａと排気口１ｂは空気の通り道１ｃでつながっている。木炭構造物１はバーベキューコンロ炭置場等の通気性のある設置面５に置かれている。【００４１】  木炭構造物１の一部に、着火剤が塗布される等してライター等で容易に着火できる木炭１１が使用されている場合には、当該木炭１１に点火する。そうでない場合には、空気の通り道１ｃの中に点火した着火剤等を入れることで木炭１１に着火することができる。
実施例１と同様、着火剤等や木炭１１の燃焼により、空気の通り道１ｃに上昇気流が生じ、吸気口１ａから空気が供給されることにより燃焼が促進されて木炭１１に着火が行われる。
木炭構造物１の大きさや、木炭１１の種類により異なるが、点火から５〜４０分で木炭１１に着火され、木炭１１が単独で継続して燃焼する状態となる。【００４２】  木炭１１が継続して燃焼する状態となり、さらにひも等２２が燃焼する等した後、分離可能となった木炭１１を平らに並べることで調理に用いることが可能となる。
【実施例３】
【００４２】  以下、図４および５に基づいて本発明の実施例３を説明するが、本発明は以下の実施例に限定されない。
木炭構造物１は木炭１１を粘着テープ、接着剤等２で固定することで形成されている。木炭構造物１はその側面に吸気口１ａと排気口１ｂを有しており、吸気口１ａと排気口１ｂは空気の通り道１ｃでつながっている。空気の通り道１ｃの吸気口１ａ付近には着火剤３が備えられている。木炭構造物１は耐火レンガ等の通気性のない設置面６に置かれている。【００４３】  着火剤３に点火することにより、木炭１１に着火することができる。
実施例１と同様、着火剤３の燃焼により空気の通り道１ｃに上昇気流が生じ、吸気口１ａから空気が供給されることにより燃焼が促進されて木炭１１に着火が行われる。
木炭構造物１の大きさや、木炭１１の種類により異なるものの、着火剤３は５分以上継続して燃焼する性能を有するものが好ましい。また、こちらも木炭構造物１の大きさや、木炭１１の種類により異なるが、着火剤３に点火してから５〜４０分で木炭１１に着火され、木炭１１が単独で継続して燃焼する状態となる。【００４４】  木炭１１が継続して燃焼する状態となり、さらに粘着テープ、接着剤等２の粘着力、接着力が弱まる等した後、分離可能となった木炭１１を平らに並べることで調理に用いることが可能となる。
【実施例４】
【００４５】  以下、図６に基づいて本発明の実施例４を説明するが、本発明は以下の実施例に限定されない。
木炭構造物１は木炭１１を粘着テープ、接着剤等２で固定することで形成されている。木炭構造物１はその底面と側面に吸気口１ａを、上面に排気口１ｂを有しており、吸気口１ａと排気口１ｂは空気の通り道１ｃでつながっている。空気の通り道１ｃの吸気口１ａ付近には着火剤３が備えられている。加えて、空気の通り道１ｃには木炭１１と比較して着火性に優れる木炭４も備えている。木炭構造物１はバーベキューコンロ炭置場等の通気性のある設置面５に置かれている。【００４６】  着火剤３に点火することにより、木炭１１に着火することができる。
着火剤３の燃焼により空気の通り道１ｃに上昇気流が生じ、吸気口１ａから空気が供給されることにより燃焼が促進されるのは実施例３と同様であるが、本実施例では木炭１１に先行して、木炭１１と比較して着火性に優れる木炭４に着火される。着火剤３および木炭１１と比較して着火性に優れる木炭４の燃焼熱と火炎により木炭１１に着火される。
木炭構造物１の大きさや、木炭１１の種類により異なるものの、着火剤３は５分以上継続して燃焼する性能を有するものが好ましい。また、こちらも木炭構造物１の大きさや、木炭１１の種類により異なるが、着火剤３に点火してから５〜４０分で木炭１１に着火され、木炭１１が単独で継続して燃焼する状態となる。
オガ炭等の着火性の悪い木炭を木炭１１として使用する場合に、本実施例のように木炭１１と比較して着火性に優れる木炭４を用いることで、実施例３のように木炭１１と比較して着火性に優れる木炭４を用いない場合と比較して、燃焼時間の短い着火剤３を用いることができる。【００４７】  木炭１１が継続して燃焼する状態となり、さらに粘着テープ、接着剤等２の粘着力、接着力が弱まる等した後、分離可能となった木炭１１を平らに並べることで調理に用いることが可能となる。
【産業上の利用可能性】
【００４８】  本発明の木炭構造物は、誰でも容易に着火できる燃料用木炭として好適に用いられる。
【符号の説明】
【００４９】１  木炭構造物
１ａ  吸気口
１ｂ  排気口
１ｃ  空気の通り道
２  粘着テープ、接着剤等
２１  粘着テープ、パテ等
２２  ひも等
３  着火剤
４  木炭１１と比較して着火性に優れる木炭
５  バーベキューコンロ炭置場等の通気性のある設置面
６  耐火レンガ等の通気性のない設置面
【図１】
2018178068.tif 000003
【図２】
2018178068.tif 000004
【図３】
2018178068.tif 000005
【図４】
2018178068.tif 000006
【図５】
2018178068.tif 000007
【図６】
2018178068.tif 000008